(57)【特許請求の範囲】
【請求項１】
ロータと、ステータコイルに平角線を用いたステータとを有する回転電機において、
前記ステータコイルは、ステータコアのティース部に絶縁性ボビンを介して巻回されており、
前記絶縁性ボビンの角部にのみ溝を設けるに際して、前記絶縁性ボビンの角部に前記平角線の断面の長辺が接する場合には、前記絶縁性ボビンの角部にのみ前記平角線の断面の長辺の長さを幅とする溝を、前記平角線を巻回した前記ステータコイルの一段置きに設け、また、前記絶縁性ボビンの角部に前記平角線の断面の短辺が接する場合には、前記絶縁性ボビンの角部にのみ前記平角線の断面の短辺の長さを幅とする溝を、前記平角線を巻回した前記ステータコイルの一段置きに設けたことを特徴とする回転電機。
【請求項２】
請求項１に記載の回転電機において、
前記溝の最大深さを、前記平角線の断面角Ｒ部の半径より大きく、かつ、前記平角線の断面の長辺の長さから前記平角線の断面角Ｒ部の半径を差し引いた値よりも小さくすることを特徴とする回転電機。
【請求項３】
請求項１または請求項２に記載の回転電機において、
前記ステータコアのティース部側面で、前記ステータコイルの各層における段の移動を行うことを特徴とする回転電機。
【請求項４】
請求項１〜３のいずれか一項に記載の回転電機を備えたことを特徴とする車両。
【発明の詳細な説明】
【技術分野】
【０００１】
本発明は、ステータコイルに平角線を使用した回転電機と、その回転電機を装備した車両に関する。
【背景技術】
【０００２】
一般家電用、一般産業機器用、車両補機駆動用および車両駆動主機用の回転電機では小型高出力化が望まれているが、小型高出力化を行うにあたり回転電機の温度上昇が大きな問題になる。温度の上昇の原因は回転電機の損失による発熱であり、損失を小さくすることが必要になる。回転電機の損失にはステータコイルに通電することによって発生する銅損があり、銅損を抑えるには回転電機のステータコイルの高密度巻線化が必要である。
ステータコイルの巻線には断面が円形のいわゆる丸線からなる巻線と、断面が略長方形のいわゆる平角線からなる巻線とがある。ステータコイルの高密度巻線を実現するためには、巻乱れを防ぎ、隙間なくスロット内にコイルを配置し、占積率を高めることが有効である。占積率を高める一般的な高密度巻線の方法としては、丸線を俵状に整列巻線する方法があり、整列巻線を実現するために、特許文献１に開示されているように、ボビンとコイルが接する面にコイルの線径に合せた溝を設け、コイルの丸線を溝に配設して巻乱れを防ぐ方法がある。しかし、丸線は俵上に整列巻線を行っても隙間が生じるので占積率が低い。
そこで、ステータコイルの高密度巻線を実現するために、ステータコイルを丸線から平角線に代え、隙間なく整列巻線することによって丸線よりも占積率を高くし、高密度巻線を実現することができる。
【先行技術文献】
【特許文献】
【０００３】
【特許文献１】特許４０７６８３７号公報
【特許文献２】特開２００８−１４８４７０号公報
【発明の概要】
【発明が解決しようとする課題】
【０００４】
しかしながら、平角線を整列巻した場合には、丸線のように線と線の間の凹凸が極端に小さいため、コイルが滑りやすく巻乱れを起こしやすい。また、平角線を保持するような溝をボビン側面に設けた場合、ボビン肉厚は溝の谷底に来る部分の厚みが最も薄くなるため、山の頂点は谷底との段差の分どうして高くなり、その結果、ボビンが厚くなってスロット内部の樹脂製ボビンの占める割合が多くなり、導体を大きくできなくなる。そこで、ステータコイルに平角線を用いて巻乱れなく整列巻線を行う必要がある。
巻乱れを防ぎながら巻線を行う方法としては、特許文献２に開示されているように、１巻ごとの巻線作業時に巻線機に取付けられた冶具でコイルの位置を強制しながら巻線する方法がある。しかし、この方法では巻線機が複雑になり、１ターンごと巻線位置の強制が必要なため、作業時間が長くなって量産に適さない。
【課題を解決するための手段】
【０００５】
(１)  請求項１の発明は、ロータと、ステータコイルに平角線を用いたステータとを有する回転電機において、ステータコイルは、ステータコアのティース部に絶縁性ボビンを介して巻回されており、絶縁性ボビンの角部にのみ溝を設けるに際して、絶縁性ボビンの角部に平角線の断面の長辺が接する場合には、絶縁性ボビンの角部にのみ平角線の断面の長辺の長さを幅とする溝を、平角線を巻回したステータコイルの一段置きに設け、また、絶縁性ボビンの角部に平角線の断面の短辺が接する場合には、絶縁性ボビンの角部にのみ平角線の断面の短辺の長さを幅とする溝を、平角線を巻回したステータコイルの一段置きに設ける。
(２)  請求項２の発明は、請求項１に記載の回転電機において、溝の最大深さを、平角線の断面角Ｒ部の半径より大きく、かつ、平角線の断面の長辺の長さから平角線の断面角Ｒ部の半径を差し引いた値よりも小さくする。
(３)  請求項３の発明は、請求項１または請求項２に記載の回転電機において、ステータコアのティース部側面で、ステータコイルの各層における段の移動を行う。
(４)  請求項４の発明は、請求項１〜３のいずれか一項に記載の回転電機を備えた車両である。
【発明の効果】
【０００６】
本発明によれば、作業性を損なうことなくステータコイルの占積率を向上でき、絶縁性ボビンに簡単な形状を付加するだけで平角線を用いたステータコイルの高密度整列巻線を可能にすることができる。
【図面の簡単な説明】
【０００７】
【図１】一実施の形態の回転電機の全体構成を示す断面図
【図２】一実施の形態の回転電機の構成を示す斜視図
【図３】一実施の形態の回転電機のステータ構成を示す正面図
【図４】一実施の形態の回転電機に用いるステータティースコアおよび樹脂製ボビンの構成を示す斜視図
【図５】一実施の形態の回転電機に用いるステータティースコアおよび樹脂製ボビンの角Ｒ部を示す断面図
【図６】一実施の形態の回転電機に用いるステータティースコアおよび樹脂製ボビンの拡大図
【図７】一実施の形態の回転電機のステータにおいて、樹脂製ボビンに平角線からなるステータコイルを１ターン巻いた状態の拡大図
【図８】一実施の形態の回転電機のステータにおいて、樹脂製ボビンに平角線からなるステータコイルを２ターン巻いた状態の拡大図
【図９】一実施の形態の回転電機のステータにおいて、樹脂製ボビンに平角線からなるステータコイルを１層分巻いた状態の拡大図
【図１０】一実施の形態の回転電機のステータにおいて、樹脂製ボビンに巻いた平角線からなるステータコイルの１層目の段移動(ａ)および２層目の段移動(ｂ)をコイルエンドで行ったときの正面図
【図１１】一実施の形態の回転電機のステータにおいて、樹脂製ボビンに巻いた平角線からなるステータコイルの１層目の段移動(ａ)および２層目の段移動(ｂ)をステータティースコア側面で行ったときの正面図
【図１２】一実施の形態の回転電機のステータティースコアに平角線からなるステータコイルを巻線した状態の斜視図
【図１３】一実施の形態の回転電機のステータティースコアに平角線からなるステータコイルを巻線した状態のコイルエンドの正面図(ａ)および断面図(ｂ)
【図１４】一実施の形態の回転電機のステータティースコアに平角線からなるステータコイルを巻線した状態のステータティースコア側面の正面図(ａ)および断面図(ｂ)
【図１５】一実施の形態の回転電機のステータティースコアの角Ｒ部の断面図
【図１６】一実施の形態の回転電機を搭載する車両の第１の構成を示すブロック図
【図１７】一実施の形態の回転電機を搭載する車両の第２の構成を示すブロック図
【図１８】一実施の形態の回転電機を搭載するハイブリッド自動車におけるエンジンＥＮＧ、回転電機ＲＭ、変速機ＴＭの第１の配置例を示すブロック図
【図１９】一実施の形態の回転電機を搭載するハイブリッド自動車におけるエンジンＥＮＧ、回転電機ＲＭ、変速機ＴＭの第２の配置例を示すブロック図
【発明を実施するための形態】
【０００８】
以下、図１〜図１５を用いて一実施形態の回転電機の構成を説明する。図１は、一実施の形態の回転電機ＲＭの全体構成を示す断面図である。この一実施の形態では、ハイブリッド自動車駆動用の回転電機ＲＭを例に挙げて説明するが、本発明の回転電機はハイブリッド自動車駆動用に限定されるものではない。回転電機ＲＭは、エンジンと変速機の間もしくは変速機の中に搭載され、小型高出力が要求される。このため、温度上昇が問題になり、発熱の原因である回転電機の損失を低減する必要がある。
【０００９】
回転電機ＲＭは、永久磁石内蔵型の３相同期モータである。ステータコイルに大電流の３相交流が供給されると電動機として動作する。また、回転電機ＲＭがエンジンによって駆動されると発電機として動作し、３相交流の発電電力を出力する。一実施の形態の回転電機ＲＭは、回転軸方向の厚さが外径よりも小さな扁平型の回転電機である。
【００１０】
回転電機ＲＭはロータ１０、ステータ２０およびハウジング５０を備え、ロータ１０はステータ２０の内周側に隙間を介して配置されている。ロータ１０はシャフト１２に固定され、シャフト１２の両端は軸受１４Ａ、１４Ｂにより回転可能に支持されている。ステータ２０の外周はハウジング５０の内周に固定され、ハウジング５０の外周はケース１３０の内周側に固定されている。
【００１１】
図２は一実施形態の回転電機の構成を示す斜視図、図３は一実施形態の回転電機の構成を示す正面図である。図２および図３において、図１と同様な機器には同一の符号を付して説明する。図２に示すように、回転電機ＲＭはロータ１０、ステータ２０およびハウジング５０を備えている。ロータ１０は、ロータコアに永久磁石が挿入された多極構造となっている。ステータ２０のステータティースコアには、それぞれＵ相ステータコイル、Ｖ相ステータコイルおよびＷ相ステータコイルが集中巻きで巻回されている。各ステータコイルはそれぞれ複数個ある。この一実施の形態では各相のステータコイルが８個づつある。
【００１２】
電源接続用端子２９Ｕ，２９Ｖ，２９Ｗは各相ステータコイルに電力を供給するための端子であり、電力変換装置に接続される。電力変換装置で変換された３相交流が、電源接続用端子２９Ｕ，２９Ｖ，２９Ｗに供給される。また、電源接続用端子２９Ｕ，２９Ｖ，２９Ｗから出力する３相交流が電力変換装置に供給され、直流に変換される。電源接続用端子２９Ｕ，２９Ｖ，２９Ｗと各ステータコイルの間には、電源接続用端子２９Ｕ，２９Ｖ，２９Ｗから各ステータコイルに電力を供給するための配電部２７が設けられている。
【００１３】
配電部２７は、Ｕ相結線リング２７Ｕと、Ｖ相結線リング２７Ｖと、Ｗ相結線リング２７Ｗと、中性点結線リング２７Ｎと、ホルダ２７Ｈとからなる。これらの結線リング２７Ｕ、２７Ｖ、２７Ｗ、２７Ｎは、それぞれ銅線を円弧状に曲げたものである。また、ホルダ２７Ｈはリング状であり、樹脂製である。ホルダ２７Ｈには、Ｕ相結線リング２７Ｕ、Ｖ相結線リング２７Ｖ、Ｗ相結線リング２７Ｗおよび中性点結線リング２７Ｎを挿入可能な溝が予め形成されている。結線リング２７Ｕ、２７Ｖ、２７Ｗ、２７Ｎはホルダ２７Ｈの溝に挿入され、保持されている。
【００１４】
Ｕ相結線リング２７Ｕには８個のＵ相ステータコイルの一方の端部が接続され、Ｖ相結線リング２７Ｖには８個のＶ相ステータコイルの一方の端部が接続され、Ｗ相結線リング２７Ｗには８個のＷ相ステータコイルの一方の端部が接続される。また、中性点結線リング２７Ｎには８個のＵ相ステータコイルの他方の端部と、８個のＶ相ステータコイルの他方の端部と、８個のＷ相ステータコイルの他方の端部とが接続される。
【００１５】
電源接続用端子２９ＵはＵ相結線リング２７Ｕに接続される。同様に、電源接続用端子２９ＶはＶ相結線リング２７Ｖに接続され、電源接続用端子２９ＷはＷ相結線リング２７Ｗに接続される。電源接続用端子２９Ｕ，２９Ｖ，２９Ｗに入力した電力は、配電部２７によりステータコイルに供給される。上述したように、回転電機ＲＭは、エンジンと変速機の間もしくは変速機の中に搭載されるため、小型高出力が要求される。このため、温度上昇が問題になり、車両の主動力として使用される回転電機ＲＭのステータコイルでの発熱を最小限に抑える必要がある。
【００１６】
一般に、ステータコアは、円環状のリング部と、このリング部から内径方向に突出したティース部とからなる。一実施の形態のステータコアは、図３に示すようにリング部とティース部とが一体に形成され、円周方向にティース部の数と等しい数で分割された複数のステータティースコアから構成されている。すなわち、一実施の形態のステータコアは、２４個のステータティースコア２２Ａ、２２Ｂ、２２Ｃ、・・・、２２Ｖ、２２Ｗ、２２Ｘから構成される。各ステータティースコアは、電磁鋼板を回転電機の軸方向に積層して形成される。
【００１７】
例えば、一つのステータティースコア２２Ａについて見ると、円弧部と、この円弧部の中央から突出したティース部とからなり、側面方向から見ると、Ｔ字形状をしている。隣接する２４個の円弧部をつなぐとリングが形成される。各ステータティースコア２２Ａ、２２Ｂ、２２Ｃ、・・・、２２Ｖ、２２Ｗ、２２Ｘにはそれぞれ、ステータコイル２４Ａ、２４Ｂ、２４Ｃ、・・・、２４Ｖ、２４Ｗ、２４Ｘが集中巻きで巻回されている。
【００１８】
図４に分割されたステータティースコア２２Ａの拡大図を示す。なお、ここではステータティースコア２２Ａについて説明するが、他のステータティースコア２２Ｂ〜２２Ｘについても同様である。ステータティースコア２２Ａには軸方向で２分割された樹脂製ボビン２６Ａが取付けられている。樹脂製ボビン２６Ａの四隅の角部には、図５の断面図および図６の拡大図に示すような平角線からなるステータコイルの巻乱れを防ぐ溝２６Ｚが設けられている。ここで、巻乱れを防ぐ溝２６Ｚの最大深さをｈｂとする。最大深さｈｂをどの程度にするかについては後述する。
【００１９】
樹脂製ボビン２６Ａが取付けられたステータティースコア２２Ａに平角線からなるステータコイル２４Ａの１ターン目２４Ａ１を巻いた状態を図７に示す。図から明らかなように、平角線からなるステータコイル２４Ａは、樹脂製ボビン２６Ａの角Ｒ部で巻き乱れを防ぐ溝２６Ｚに嵌り固定されている。なお、図７では、絶縁性ボビンの角部に平角線の断面の長辺が接する場合に、絶縁性ボビンの角部に平角線の断面の長辺の長さを幅とする溝を、平角線を巻回したステータコイルの一段置きに設けた例を示すが、絶縁性ボビンの角部に平角線の断面の短辺が接する場合には、絶縁性ボビンの角部に平角線の断面の短辺の長さを幅とする溝を、平角線を巻回したステータコイルの一段置きに設ける。
【００２０】
さらに、平角線からなるステータコイル２４Ａの２ターン目２４Ａ２を巻いた状態を図８に示す。平角線からなるステータコイル２４Ａの２ターン目２４Ａ２は、平角線からなるステータコイル２４Ａの１ターン目２４Ａ１の上に乗り位置が決まる。さらに巻線を進め１層分巻線を行うと図９に示すようになり、溝に嵌るコイルとコイルどうしに挟まれるコイルが交互に並び、平角線からなるステータコイル２４Ａの巻き乱れを防止することが可能になり、巻線の角部には溝が形成される。この溝は樹脂製ボビン２６Ａの角Ｒ部に設けられた巻乱れを防ぐ溝２６Ｚと同様の効果がある。
【００２１】
平角線からなるステータコイル２４Ａの１層内における段の移動においては、図１０(ａ)に示すように通常の丸線と同様にコイルエンドで移動させる方法が考えられる。２層目以降においても、図１０(ｂ)に示すように片側もしくは両側で移動させることが可能である。また、ステータティースコアの幅が十分に広くない場合には、図１１(ａ)、(ｂ)に示すようにステータティースコア側面で移動させることも可能である。つまり、平角線からなるステータコイル２４Ａの１層内における段の移動は、図１１(ａ)に示すようにステータティースコア側面で移動させ、２層目以降も図１１(ｂ)に示すようにステータティースコア側面で移動させる。
【００２２】
図１２は、一実施の形態の回転電機のステータティースコアに平角線からなるステータコイルを巻線した状態の斜視図である。また、図１３は、一実施の形態の回転電機のステータティースコアに平角線からなるステータコイルを巻線した状態のコイルエンドの正面図(ａ)および断面図(ｂ)である。さらに、図１４は、一実施の形態の回転電機のステータティースコアに平角線からなるステータコイルを巻線した状態のステータティースコア側面の正面図(ａ)および断面図(ｂ)である。
【００２３】
図１５は、一実施の形態の回転電機のステータティースコアの角Ｒ部の断面図である。なお、ここではステータティースコア２２Ａについて説明するが、他のステータティースコア２２Ｂ〜２２Ｘについても同様である。図５において上述したように、樹脂製ボビン２６Ａの四隅の角部には、平角線からなるステーターコイル２４Ａの巻乱れを防ぐための溝２６Ｚが設けられており、その最大深さはｈｂである。この最大深さｈｂは、平角線の断面の角Ｒ部の半径Ｒｃより大きく、平角線の断面の短辺の幅Ｗｃから平角線の断面の角Ｒ部の半径Ｒｃを差し引いた値（Ｗｃ−Ｒｃ）よりも小さくするのが望ましい。
Ｒｃ＜ｈｂ＜（Ｗｃ−Ｒｃ）  ・・・(１)
これにより、平角線の断面の矩形形状の大きさがどのように変わっても、１層目では平角線の断面の短辺が溝２６Ｚの側面に当接し、２層目以降では平角線の断面の短辺どうしが当接することになり、巻乱れを確実に防止できる。
【００２４】
次に、図１６および図１７を用いて、一実施の形態の回転電機ＲＭを搭載する車両の構成について説明する。図１６、図１７はハイブリッド自動車を前提としたパワートレインを示している。図１６は一実施形態の回転電機ＲＭを搭載する車両の第１の構成を示すブロック図であり、図１７は一実施形態の回転電機ＲＭを搭載する車両の第２の構成を示すブロック図である。
【００２５】
図１６に示す第１の構成は、四輪駆動のハイブリッド自動車のパワートレインである。前輪側の主動力として、エンジンＥＮＧと回転電機ＲＭを有する。エンジンＥＮＧと回転電機ＲＭが発生する動力は、変速機ＴＭにより変速され、前輪側駆動輪ＦＷに伝達される。一方、後輪の駆動においては、後輪側に配置された回転電機ＲＭ’と後輪側駆動輪ＲＷが機械的に接続され、回転電機ＲＭ’で発生する動力が後輪側駆動輪ＲＷに直接伝達される。
【００２６】
回転電機ＲＭは、エンジンＥＮＧの始動を行うとともに、車両の走行状態に応じて、走行駆動力の発生と、車両減速時のエネルギーを電気エネルギーとして回収する発電力の発生とを切り換える。回転電機ＲＭの駆動と発電の動作は車両の運転状況に合わせ、トルクおよび回転数が最適になるように電力変換装置ＰＣにより制御される。回転電機ＲＭの駆動に必要な電力は、電力変換装置ＰＣを介してバッテリＢＡから供給される。また、回転電機ＲＭが発電動作のときは、電力変換装置ＰＣを介してバッテリＢＡに電気エネルギーが充電される。
【００２７】
ここで、エンジンＥＮＧとともに前輪の駆動源となる回転電機ＲＭは、エンジンＥＮＧと変速機ＴＭの間に配置されており、図１〜図１５にて説明した構成を有するものである。後輪側の動力源である回転電機ＲＭ’としては、前輪側の回転電機ＲＭと同様のものを用いることもできるし、他の一般的な構成の回転電機を用いることもできる。なお、図１６に示す第１の構成において、後輪駆動側回転電機ＲＭ’を取付けずに後輪を駆動輪としなければ、前輪駆動ハイブリッド自動車の構成となる。
【００２８】
図１７は後輪駆動のハイブリッド自動車のパワートレインを示す。前輪ＦＷ側に主動力としてエンジンＥＮＧと回転電機ＲＭを有し、エンジンＥＮＧと回転電機ＲＭが発生する動力を変速機ＴＭを用いて変速し、後輪側駆動輪ＲＷに動力を伝える。
【００２９】
回転電機ＲＭは、エンジンＥＮＧの始動を行うとともに、車両の走行状態に応じて、駆動力の発生と、車両減速時のエネルギーを電気エネルギーとして回収する発電力の発生とを切り換える。回転電機ＲＭの駆動と発電の動作は、車両の運転状況に合わせ、トルクおよび回転数が最適になるように電力変換装置ＰＣにより制御される。回転電機ＲＭの駆動に必要な電力は、電力変換装置ＰＣを介してバッテリＢＡから供給される。また、回転電機ＲＭが発電動作のときは、電力変換装置ＰＣを介してバッテリＢＡに電気エネルギーが充電される。
【００３０】
ここで、エンジンＥＮＧとともに後輪の駆動源となる回転電機ＲＭは、エンジンＥＮＧと変速機ＴＭの間に配置されており、図１〜図１５にて説明した構成を有するものである。なお、通常の自動車のように、変速機の出力部から前輪に動力を伝達する機構を追加することによって、四輪駆動車の構成となる。
【００３１】
次に、図１８および図１９により、一実施の形態の回転電機を搭載するハイブリッド自動車におけるエンジンＥＮＧ、回転電機ＲＭ、変速機ＴＭの配置について説明する。
【００３２】
図１８は、一実施形態の回転電機を搭載するハイブリッド自動車におけるエンジンＥＮＧ、回転電機ＲＭ、変速機ＴＭの第１の配置例を示すブロック図である。図１９は、一実施形態の回転電機を搭載するハイブリッド自動車におけるエンジンＥＮＧ、回転電機ＲＭ、変速機ＴＭの第２の配置例を示すブロック図である。ハイブリッド自動車におけるエンジンＥＮＧ、回転電機ＲＭ、変速機ＴＭの配置は大きく分けて２通りある。
【００３３】
まず図１８に示す第１の配置例では、エンジンＥＮＧ、回転電機ＲＭ、変速機ＴＭのそれぞれが独立して構成され、エンジンＥＮＧと変速機ＴＭの間に回転電機ＲＭが機械的に接続されている構成であり、変速機ＴＭの出力が駆動輪ＷＨに伝達される。一方、図１９に示す第２の配置例では、エンジンＥＮＧ、変速機ＴＭが独立して構成され、機械的に接続されており、変速機ＴＭの内部に回転電機ＲＭが搭載され、変速機ＴＭと回転電機ＲＭが機械的に接続されている。そして、変速機ＴＭの出力が駆動輪ＷＨに伝達される。以上の構成において、駆動輪ＷＨの動力源である回転電機ＲＭは、図１〜図１５にて説明した構成を有するものである。
【００３４】
上述した実施の形態によれば以下のような作用効果を奏することができる。まず、ロータと、ステータコイルに平角線を用いたステータとを有する回転電機において、ステータコイルはステータコアのティース部に絶縁性ボビンを介して巻回されており、絶縁性ボビンの角部に平角線の断面の長辺が接する場合には、絶縁性ボビンの角部に平角線の断面の長辺の長さを幅とする溝を、平角線を巻回したステータコイルの一段置きに設け、また、絶縁性ボビンの角部に平角線の断面の短辺が接する場合には、絶縁性ボビンの角部に平角線の断面の短辺の長さを幅とする溝を、平角線を巻回したステータコイルの一段置きに設けたので、滑りやすく巻乱れを起こしやすい平角線を用いたステータコイルの巻乱れを防止でき、作業性を損なうことなくステータコイルの占積率を向上でき、絶縁性ボビンに簡単な形状を付加するだけで平角線を用いたステータコイルの高密度整列巻線を可能にすることができる。
【００３５】
また、一実施の形態によれば、溝の最大深さを、平角線の断面角Ｒ部の半径より大きく、かつ、平角線の断面の長辺の長さから平角線の断面角Ｒ部の半径を差し引いた値よりも小さくしたので、平角線の断面の矩形形状の大きさがどのように変わっても、１層目では平角線の断面の短辺が溝の側面に当接し、２層目以降では平角線の断面の短辺どうしが当接することになり、巻乱れを確実に防止できる。
【００３６】
さらに、一実施の形態によれば、ステータコアのティース部側面で、ステータコイルの各層における段の移動を行うようにしたので、ステータコアのティース部の幅が狭く、コイルエンド部におけるステータコイルの各層における段の移動が困難な場合でも、平角線を用いてステータコイルの高密度整列巻線を可能にできる。
【００３７】
なお、一実施の形態の回転電機は、上述したハイブリッド自動車はもちろんのこと、一般の電気自動車や自動車の補機駆動にも用いることができ、車両の過酷な走行環境下において信頼性の高い駆動源を提供することができる。
【００３８】
なお、上述した実施の形態とそれらの変形例において、実施の形態と変形例とのあらゆる組み合わせが可能である。
【符号の説明】
【００３９】
１０；ロータ、２０；ステータ、２２Ａ〜２２Ｘ；ステータティースコア、２４Ａ〜２４Ｘ；ステータコイル、２６Ａ；ボビン、２６Ｚ；溝、ＲＭ；回転電機
【図１】
0005386265.tif 000002
【図２】
0005386265.tif 000003
【図３】
0005386265.tif 000004
【図４】
0005386265.tif 000005
【図５】
0005386265.tif 000006
【図６】
0005386265.tif 000007
【図７】
0005386265.tif 000008
【図８】
0005386265.tif 000009
【図９】
0005386265.tif 000010
【図１０】
0005386265.tif 000011
【図１１】
0005386265.tif 000012
【図１２】
0005386265.tif 000013
【図１３】
0005386265.tif 000014
【図１４】
0005386265.tif 000015
【図１５】
0005386265.tif 000016
【図１６】
0005386265.tif 000017
【図１７】
0005386265.tif 000018
【図１８】
0005386265.tif 000019
【図１９】
0005386265.tif 000020